(57)【要約】【課題】商品にＲＦ−ＩＤタグを個別に装着せずに商品陳列棚の商品在庫管理及び棚札情報の表示及び買い物客への商品情報の提供を実現する。【解決手段】本発明は、店舗内の商品陳列棚に光学センサー搭載ＲＦ−ＩＤタグ及び表示装置搭載ＲＦ−ＩＤタグを設置し、光学センサー搭載ＲＦ−ＩＤタグでは商品の有無を判別し、その判別結果を店舗内設置のＲＦ−ＩＤタグ用リーダーライターに送信することでＲＦ−ＩＤタグ用リーダーライターと接続された在庫管理装置で商品陳列棚の商品の在庫管理を可能とし、さらに、在庫管理装置はＲＦ−ＩＤタグ用リーダーライターより表示装置搭載ＲＦ−ＩＤタグへ棚札情報を提供することで棚札情報の表示を可能する。また、本発明では表示装置搭載ＲＦ−ＩＤタグよりＲＦ−ＩＤタグ用リーダーライター搭載携帯電話に商品情報の提供を可能とする。以上により課題の解決をはかるものである。【選択図】図３
2006350893.tif 000002
【特許請求の範囲】
【請求項１】
商品陳列棚に陳列する商品の有無によって受光量が変化する位置に設置された光学センサー搭載ＲＦ−ＩＤタグと、前記光学センサー搭載ＲＦ−ＩＤタグからの信号を検出するＲＦ−ＩＤタグ用リーダーライターとにより商品陳列棚の商品の有無を判別するようにしたことを特徴とする商品陳列棚システム。
【請求項２】
請求項１に記載の商品陳列棚のラック部前面に陳列する商品毎に設置された表示装置搭載ＲＦ−ＩＤタグと、前記表示装置搭載ＲＦ−ＩＤタグに棚札情報を送信するＲＦ−ＩＤタグ用リーダーライターとにより棚札情報の自動更新をするようにしたことを特徴とする商品陳列棚システム。
【請求項３】
ＲＦ−ＩＤタグ用リーダーライター搭載携帯電話がかかげられた請求項２に記載の表示装置搭載ＲＦ−ＩＤタグと、前記表示装置搭載ＲＦ−ＩＤタグに商品情報を提供するＲＦ−ＩＤタグ用リーダーライターとにより前記ＲＦ−ＩＤタグ用リーダーライター搭載携帯電話の表示装置に商品情報を表示するようにしたことを特徴とする商品陳列棚システム。
【請求項４】
請求項１及び請求項２及び請求項３に記載のＲＦ−ＩＤタグ用リーダーライターは、商品在庫管理装置と接続されたことを特徴とする商品陳列棚システム。
【請求項５】
請求項１に記載の光学センサー搭載ＲＦ−ＩＤタグは、照度センサー搭載ＲＦ−ＩＤタグ又は光反射センサー搭載ＲＦ−ＩＤタグのいずれかを用いたことを特徴とする商品陳列棚システム。
【請求項６】
請求項１に記載の光学センサー搭載ＲＦ−ＩＤタグの光学センサー部には、前記光学センサー部の感度を商品の透過光量に応じて調節する手段を有することを特徴とする商品陳列棚システム。
【請求項７】
請求項１に記載の光学センサー搭載ＲＦ−ＩＤタグに外乱光の入光を抑止するフードを取り付けることを特徴とする商品陳列棚システム。
【請求項８】
請求項２に記載の表示装置搭載ＲＦ−ＩＤタグに搭載されている表示装置は、液晶、電子ペーハー、若しくは有機ＥＬのいずれかの表示装置であること特徴とする商品陳列棚システム。
【請求項９】
請求項４に記載の在庫管理システムは、前記商品陳列棚に商品が無いことを判別した場合に店舗の店員に前記商品陳列棚の当該商品の補充命令を画面上に表示することが可能なことを特徴とする商品陳列棚システム。
【発明の詳細な説明】
【技術分野】
【０００１】
本発明は、店舗における商品陳列棚にある商品の在庫管理及び棚札表示情報の自動更新とともに買い物客への商品情報の提供が可能な店舗システムに関するものである。
【背景技術】
【０００２】
従来、従業員の視認確認による商品陳列棚への商品の在庫補充では、手間がかかり効率的な在庫補充を行うことは難しく、人的作業を軽減できる安価な在庫補充のシステムが潜在的に求められている。
このため、近年、ＲＦ−ＩＤ（無線周波数識別：Ｒａｄｉｏ  Ｆｒｅｑｕｅｎｃｙ  Ｉｄｅｎｔｉｆｉｃａｔｉｏｎ）技術を利用したＲＦ−ＩＤタグシステムを用いた商品在庫管理システムが注目を浴びている。
ＲＦ−ＩＤタグシステムを用いた商品在庫管理システムでは、特許文献１に紹介する如く、商品陳列棚に並ぶ商品ごとに個別にＲＦ−ＩＤタグを取り付け、商品陳列棚等に予め設置したＲＦ−ＩＤタグ用リーダーライターと常時通信することで、リアルタイムの商品在庫管理を実現している。
この方法では、当然のことながら、すべての商品にＲＦ−ＩＤタグを取り付ける必要があるため、ＲＦ−ＩＤタグ自体の費用及び商品に個別装着する費用等が発生する。
【０００３】
また、特許文献１には、示されていないが、ＲＦ−ＩＤタグシステムでは、以下に示す事項が問題視されている。
ＲＦ−ＩＤタグは、当然のことながら非接触でＲＦ−ＩＤタグ用リーダーライターにより読み取り可能である。このため、例えば、第三者が若い女性の買い物の内容を把握しようと思えば、第三者はＲＦ−ＩＤタグ用リーダーライターをコート等の下に隠し、この若い女性に近づけば、買い物袋内にあるＲＦ−ＩＤタグ付き商品の把握が、この女性に気づかれずに可能となる。このため、プライバシー保護の観点上、精算処理後のＲＦ−ＩＤタグを取り外す、若しくはＲＦ−ＩＤタグに記録された商品情報を消去する手段を講じる必要性が指摘されている。
【０００４】
さらに、１つの商品陳列棚にあるすべての商品を一括把握するためには、ＲＦ−ＩＤタグ用リーダーライターが、ＲＦ−ＩＤタグの同時読み取り可能個数が限られているため、商品陳列棚に陳列する商品の総数を考慮して、商品陳列棚に設置するＲＦ−ＩＤタグ用リーダーライターの台数を決定する必要がある。
即ち、多数のＲＦ−ＩＤタグ用リーダーライターが商品陳列棚に設置されることになり、商品陳列棚のイニシャルコストがかさむと指摘されている。
【０００５】
さらに、このＲＦ−ＩＤタグ用リーダーライターの書き込み読み取り距離によっては、ＲＦ−ＩＤタグ用リーダーライター同士での相互干渉が生じる。このため、商品ごとに貼付したＲＦ−ＩＤタグには、どの商品陳列棚のどの位置にある商品なのか等の商品陳列位置情報を、個別に登録する必要がある。この手間も煩雑であることが指摘されている。
【０００６】
このため、商品自体に個別にＲＦ−ＩＤタグを装着することによって実現されるＲＦ−ＩＤタグを利用した商品在庫管理システムでは、ＲＦ−ＩＤタグ自体の費用及びＲＦ−ＩＤタグを商品に貼付するための費用及びＲＦ−ＩＤタグに商品陳列位置情報を登録するランニングコストに加え、多数のＲＦ−ＩＤタグ用リーダーライターを商品陳列棚に設置するイニシャルコスト及び精算処理後のＲＦ−ＩＤタグを取り外す、若しくはＲＦ−ＩＤタグに記録された商品情報を消去する手段を講じるイニシャルコストがかさみ販売価格上昇要因若しくは収益圧迫要因となることが懸念されている。
【０００７】
さらに、従業員が商品陳列棚の商品の品名及び価格情報等を表示している棚札を特売や商品陳列棚の商品の入れ替えに伴い、当該商品の棚札を交換する作業は煩雑である。
さらに、この作業は、通常では、店舗の営業時間外に行うため、従業員等の残業時間が増加することによる人件費等のランニングコストの上昇を招き、販売価格に転化されれば価格競争力の低下要因になり、販売価格に転化できないときは収益圧迫要因等になる。
このため、商品陳列棚の棚札表示情報の自動更新システムも潜在的に求められている。
【０００８】
また、買い物客は、商品購入時に商品情報等を店員より聞きたい場合があるが、スーパーマーケット等では、効率的な経営のために最低限の店員で対応せざるをおえないため、店員の人数も少なく、買い物客が聞きたいときに店員がすぐに見あたらないのが現状である。
【０００９】
【特許文献１】特開２００５−３４３５８
【発明の開示】
【発明が解決しようとする課題】
【００１０】
そこで本発明の解決しようとする課題は、店舗内の商品陳列棚にある商品の在庫管理システムを提供するのにあたり、商品自体に個別にＲＦ−ＩＤタグを装着しないで、商品陳列棚にある商品の在庫管理システムを構築することである。
さらに、棚札表示情報の自動更新や買い物客への商品情報等の自動提供を行うことを可能とするものである。
【課題を解決するための手段】
【００１１】
本発明の第１の態様は、商品陳列棚に陳列する商品の有無によって受光量が変化する位置に設置された光学センサー搭載ＲＦ−ＩＤタグと、前記光学センサー搭載ＲＦ−ＩＤタグからの信号を検出するＲＦ−ＩＤタグ用リーダーライターとにより商品陳列棚の商品の有無を判別するようにしたことを特徴とする商品陳列棚システムである。。
【００１２】
本発明の第２の態様は、第１の態様に記載の商品陳列棚のラック部前面に陳列する商品毎に設置された表示装置搭載ＲＦ−ＩＤタグと、前記表示装置搭載ＲＦ−ＩＤタグに棚札情報を送信するＲＦ−ＩＤタグ用リーダーライターとにより棚札情報の自動更新をするようにしたことを特徴とする商品陳列棚システムである。
【００１３】
本発明の第３の態様は、ＲＦ−ＩＤタグ用リーダーライター搭載携帯電話がかかげられた第２の態様に記載の表示装置搭載ＲＦ−ＩＤタグと、前記表示装置搭載ＲＦ−ＩＤタグに商品情報を提供するＲＦ−ＩＤタグ用リーダーライターとにより前記ＲＦ−ＩＤタグ用リーダーライター搭載携帯電話の表示装置に商品情報を表示するようにしたことを特徴とする商品陳列棚システムである。
【００１４】
本発明の第４の態様は、第１の態様及び第２の態様及び第３の態様に記載のＲＦ−ＩＤタグ用リーダーライターは、商品在庫管理装置と接続されたことを特徴とする商品陳列棚システムである。
【００１５】
本発明の第５の態様は、第１の態様に記載の光学センサー搭載ＲＦ−ＩＤタグは、照度センサー搭載ＲＦ−ＩＤタグ又は光反射センサー搭載ＲＦ−ＩＤタグのいずれかを用いたことを特徴とする商品陳列棚システム。
【００１６】
本発明の第６の態様は、第１の態様に記載の光学センサー搭載ＲＦ−ＩＤタグの光学センサー部には、前記光学センサー部の感度を商品の透過光量に応じて調節する手段を有することを特徴とする商品陳列棚システムである。
【００１７】
本発明の第７の態様は、第１の態様に記載の光学センサー搭載ＲＦ−ＩＤタグに外乱光の入光を抑止するフードを取り付けることを特徴とする商品陳列棚システムである。
【００１８】
本発明の第８の態様は、第２の態様に記載の表示装置搭載ＲＦ−ＩＤタグに搭載されている表示装置は、液晶、電子ペーハー、若しくは有機ＥＬのいずれかの表示装置であること特徴とする商品陳列棚システムである。
【００１９】
本発明の第９の態様は、第４の態様に記載の在庫管理システムは、前記商品陳列棚に商品が無いことを判別した場合に店舗の店員に前記商品陳列棚の当該商品の補充命令を画面上に表示することが可能なことを特徴とする商品陳列棚システム。
【発明の効果】
【００２０】
本発明の商品陳列棚システムでは、ランニングコストも安価で、かつ、イニシャルコストも安価な商品陳列棚の商品の在庫管理システムが構築可能であるという利点がある。
具体的には、例えば、商品陳列棚の一陳列につき光センサー搭載ＲＦ−ＩＤタグを設置することにより、商品陳列棚の商品を管理するため、商品個別にＲＦ−ＩＤタグを取り付ける必要がない。
このため、本発明の商品陳列棚システムでは、ＲＦ−ＩＤタグを商品ごと個別に貼付する費用等の発生がなく、プライバシー保護対策上の精算処理後にＲＦ−ＩＤタグを取り外したり、若しくはＲＦ−ＩＤタグの商品データを消去する必要もなく、商品陳列棚に設置するＲＦ−ＩＤタグ用リーダーライターも必要がないことから、ランニングコスト及びイニシャルコストの低減が図れることにある。
さらに、商品陳列棚に設置するＲＦ−ＩＤタグ用リーダーライターは不要であり、ＲＦ−ＩＤタグ用リーダーライターの相互干渉が発生しないことに加え、商品自体に個別にＲＦ−ＩＤタグを装着しないため、ＲＦ−ＩＤタグに商品陳列棚の位置情報を記録する必要がないため、この手間も不要になることである。
また、本発明の商品陳列棚システムでは、商品陳列棚の商品陳列部の前面に設置される表示装置搭載ＲＦ−ＩＤタグに棚札情報を表示することで、店員等による棚札交換作業がなくなるために人件費等のランニングコストの低減が図れることである。
さらに、買い物客が、商品の商品情報を入手希望時には、ＲＦ−ＩＤタグ用リーダーライター搭載携帯電話を表示装置搭載ＲＦ−ＩＤタグにかざせば、商品情報を即時に入手することが可能なことである。
【発明を実施するための最良の形態】
【００２１】
以下、光学センサー搭載ＲＦ−ＩＤタグの例として、照度センサー搭載ＲＦ−ＩＤタグを利用した場合の本発明の実施形態について説明する。
図１は、本発明の照度センサー搭載ＲＦ−ＩＤタグの基本構成図である。
図２は、本発明の表示装置搭載ＲＦ−ＩＤタグの基本構成図である。
図３は、本発明の商品陳列棚システムの基本構成説明図である。
【００２２】
図１に構成を示す照度センサー搭載ＲＦ−ＩＤタグ１は、アンテナ部２とＲＦインターフェース部３よりなるＲＦ部４、照度センサー部５、照度センサー感度調節部６、不揮発性メモリー部７、電池部８がそれぞれタグ制御部９に接続されているものである。
さらに、図示はしないが、照度センサー部５の前面には、照度センサー部５への外乱光の入光を抑止するフードの取り付けを可能とする機構を有する。
また、照度センサー感度調節部６の機能は、この機能により例えば、照度センサー５の感度を低く調節することも可能にするためのものである。透明包装材料で包装された商品では、照度センサー部５に外部光が入光し、透明包装材料で包装された商品があるのにもかかわらず、照度センサー搭載ＲＦ−ＩＤタグ１は商品がないとの誤判別を防止するためである。
【００２３】
図２に構成を示す表示装置搭載ＲＦ−ＩＤタグ１６は、表示装置搭載ＲＦ−ＩＤタグのアンテナ部１７と表示装置搭載ＲＦ−ＩＤタグのＲＦインターフェース部１８よりなる表示装置搭載ＲＦ−ＩＤタグのＲＦ部１９、表示装置搭載ＲＦ−ＩＤタグの表示装置ドライバー回路２０、表示装置搭載ＲＦ−ＩＤタグの液晶表示装置２１、表示装置搭載ＲＦ−ＩＤタグの不揮発性メモリー部２２、表示装置搭載ＲＦ−ＩＤタグの電池部２３がそれぞれ表示装置搭載ＲＦ−ＩＤタグのタグ制御部２４に接続されているものである。
なお、表示装置搭載ＲＦ−ＩＤタグの不揮発性メモリー部２２には、表示装置搭載ＲＦ−ＩＤタグ自体のＩＤ番号を記録している。
【００２４】
図３に示す商品陳列棚１０には、照度センサー搭載ＲＦ−ＩＤタグ１を商品陳列部の最後方に商品毎に配置する。なお、照度センサー搭載ＲＦ−ＩＤタグ１の電源供給は、通常は、電池部８によるため、照度センサー搭載ＲＦ−ＩＤタグ１へのＡＣ電源を供給する配線は不要である。
商品陳列棚１０のラック部１１の材質は、照度センサー搭載ＲＦ−ＩＤタグ１と店舗に設置したＲＦ−ＩＤタグ用リーダーライター１２との交信に影響しない材料を採用する。具体的には、プラスチック材料が好適である。
これは、照度センサー搭載ＲＦ−ＩＤタグ１と店舗に設置したＲＦ−ＩＤタグ用リーダーライター１２との間に電磁波を遮蔽するような全面金属材料があると非接触での交信が不可能になるためである。
さらに、商品陳列棚１０のラック部１１の前面には、商品毎に表示装置搭載ＲＦ−ＩＤタグ１６を設置する。
【００２５】
図３に示す店舗に設置するＲＦ−ＩＤタグ用リーダーライター１２は、照度センサー搭載ＲＦ−ＩＤタグ１と非接触で交信可能で、かつ、照度センサー搭載ＲＦ−ＩＤタグ１よりの商品陳列棚の商品在庫情報を通信回線１３にて商品在庫管理装置１４に送信する機能を有する。
【００２６】
商品在庫管理装置１４は、パーソナルコンピュータ本体に表示装置を接続したパーソナルコンピュータシステムでも可能である。
なお、商品在庫管理装置１４には、店舗で取り扱うすべての商品１５に関して、何処の商品陳列棚１０で何段目のラック部１１に配置し、何番のＩＤ番号を有する表示装置搭載ＲＦ−ＩＤタグ１６を設置したかを記録する商品陳列位置情報等データベース１４ａを内蔵する。
さらに、商品在庫管理装置には、商品情報データベース１４ｂも内蔵する。この商品情報データベース１４ｂには、買い物客がＲＦ−ＩＤタグ用リーダーライター搭載携帯電話２５を表示装置搭載ＲＦ−ＩＤタグ１６にかざして、商品情報を入手する際に提供される当該商品情報を格納する。
【００２７】
ＲＦ−ＩＤタグ用リーダーライター搭載携帯電話２５には、図示はしないが、ＲＦ−ＩＤタグ用リーダーライターのアンテナ回路及びＲＦ−ＩＤタグ用リーダーライターの制御回路を内蔵し、ＲＦ−ＩＤタグ用リーダーライターのアンテナ回路がＲＦ−ＩＤタグ用リーダーライターの制御回路され、さらにＲＦ−ＩＤタグ用リーダーライターの制御回路が携帯電話自体の制御回路に接続されている構成である。
【００２８】
本発明の利用形態について、以下に説明する。
［在庫管理］
照度センサー搭載ＲＦ−ＩＤタグ１は、図２に示す照度センサー搭載ＲＦ−ＩＤタグ前面に商品がある場合１ａには照度センサー部５に外部光が入光しないため、商品陳列棚１０には商品１５があると判別する。また、照度センサー搭載ＲＦ−ＩＤタグ前面に商品がない場合１ｂには照度センサー部５に外部光が入光するため、商品陳列棚１０には商品１５がないと判別する。
【００２９】
店舗に設置されたＲＦ−ＩＤタグ用リーダーライター１２は、照度センサー搭載ＲＦ−ＩＤタグ１の照度センサー部５による商品１５の有無の判別結果を読み取る。さらに、店舗に設置されたＲＦ−ＩＤタグ用リーダーライター１２は、照度センサー搭載ＲＦ−ＩＤタグ１による商品１５の有無の判別結果を通信回線で接続している商品在庫管理装置１４に送る。
【００３０】
商品在庫管理装置１４は、ＲＦ−ＩＤタグ用リーダーライター１２より送られた照度センサー搭載ＲＦ−ＩＤタグ１が商品陳列棚１０に商品１５の有無の判別結果により、商品陳列棚１０にある商品１５の在庫管理を実施する。
このため、商品在庫管理装置１４は、ＲＦ−ＩＤタグ用リーダーライター１２より送られた照度センサー搭載ＲＦ−ＩＤタグ１が商品陳列棚１０に商品１５がないとの情報にもとづき、店舗店員等に当該商品の補充命令を発する。
このように本発明によれば、店舗店員が、店舗内を巡回して商品陳列棚１０にある商品１５の在庫状況を確認する必要がないため、効率的な商品陳列棚への商品補充が可能になるものである。
【００３１】
商品在庫管理装置では、何処の商品陳列棚の何段目のラック部１１に何番のＩＤ番号を有する表示装置搭載ＲＦ−ＩＤタグを何の商品に割り当て、設置したかの商品陳列位置情報データベース１４ａを搭載している。
このため、表示装置搭載ＲＦ−ＩＤタグ１６の表示情報である棚札情報を変更する場合は、商品在庫管理装置１４より、当該表示装置搭載ＲＦ−ＩＤタグ１６のＩＤ番号を指定し、商品在庫管理装置１４に更新する棚札情報を入力すれば、商品在庫管理装置１４より、ＲＦ−ＩＤタグ用リーダーライター１２に送られ、ＲＦ−ＩＤタグ用リーダーライター１２は、表示装置搭載ＲＦ−ＩＤタグ１６に送信する。
ＩＤ番号が一致する表示装置搭載ＲＦ−ＩＤタグ１６のみが、ＲＦ−ＩＤタグ用リーダーライター１２より送信された棚札情報を受信し、受信した棚札情報を表示すれば、棚札情報の自動更新が可能となるものである。
【００３２】
買い物客が、携帯するＲＦ−ＩＤタグ用リーダーライター搭載携帯電話２５を表示装置搭載ＲＦ−ＩＤタグ１６にかざせば、ＲＦ−ＩＤタグ用リーダーライター搭載携帯電話２５よりの商品情報要求命令が表示装置搭載ＲＦ−ＩＤタグ１６に送られ、表示装置搭載ＲＦ−ＩＤタグ１６では表示装置搭載ＲＦ−ＩＤタグ１６の不揮発性メモリー部２２に記録しているＩＤ番号を商品情報要求命令に付加して、店舗内に設置してあるＲＦ−ＩＤタグ用リーダーライター１２に送信し、ＲＦ−ＩＤタグ用リーダーライター１２では、表示装置搭載ＲＦ−ＩＤタグ１６のＩＤ番号が付加された商品情報要求命令を商品在庫管理装置１４に送信する。在庫管理管理装置１４では商品情報データベース１４ｂより当該商品情報を選定後、この商品情報にＲＦ−ＩＤタグ用リーダーライター１２より送られたを表示装置搭載ＲＦ−ＩＤタグ１６のＩＤ番号を付加して、ＲＦ−ＩＤタグ用リーダーライター１２に送り、ＲＦ−ＩＤタグ用リーダーライター１２は表示装置搭載ＲＦ−ＩＤタグ１６のＩＤ番号が付与された商品情報を表示装置搭載ＲＦ−ＩＤタグ１６に向け送信する。
当該ＩＤ番号を有す表示装置搭載ＲＦ−ＩＤタグ１６のみが、ＲＦ−ＩＤタグ用リーダーライター１２より送られた商品情報を受信し、この商品情報をＲＦ−ＩＤタグ用リーダーライター搭載携帯電話２５に送り、ＲＦ−ＩＤタグ用リーダーライター搭載携帯電話２５の表示画面に表示することで、買い物客は、商品情報を確認することができる。
【００３３】
本発明の商品陳列棚システムは、以上、説明した実施例に拘泥されるこなく、変形実施も可能である。
具体的には、光学センサー搭載ＲＦ−ＩＤタグの光学センサーは、照度センサーで説明したが、反射タイプの光学センサーであっても良い。
なお、反射タイプの光学センサー搭載ＲＦ−ＩＤタグは、商品がある場合には商品からの反射光があるため、商品があると判別し、反射光がない場合には、商品よりの反射光がないため、商品がないと判別するものである。
さらに、光学センサー以外にも、例えば、温・湿度センサーをも搭載したマルチセンサー搭載ＲＦ−ＩＤタグであっても良い。
マルチセンサー搭載ＲＦ−ＩＤタグでは、生鮮食品用商品陳列棚で利用すれば、商品在庫管理と共に商品陳列棚ごとの温・湿度のきめ細かい管理のための情報を得ることが可能になり、この情報にもとづき生鮮商品用商品陳列棚の冷凍機の温度管理を行えば、店舗の省エネルギーに貢献する。
また、光学センサー搭載ＲＦ−ＩＤタグは、電池を搭載するアクティブ型で説明したが、パッシブ型であっても良い。
また、ＲＦ−ＩＤタグ用リーダーライターと商品在庫管理装置とは、有線での通信回線接続で説明したが、当然のことながら、無線通信接続であっても良い。
さらに、表示装置搭載ＲＦ−ＩＤタグの表示装置は、液晶表示装置で説明したが、電子ペーハーにより表示装置や有機ＥＬ（Ｏｒｇａｎｉｃ  Ｅｌｅｃｔｒｏｌｕｍｉｎｅｓｃｅｎｃｅ  Ｄｉｓｐｌａｙ）による表示装置等であっても良い。
また、商品在庫管理装置１４から、店員が保有する携帯端末等に欠品情報を送信し、携帯端末が商品補充命令を表示することで、商品を補充することを実現しても良い。
商品陳列位置情報等データベースと商品情報データベースは、商品在庫管理装置１４に内蔵ぜずに、商品在庫管理装置１４にサーバーシステムに接続し、サーバーシステム上に商品陳列位置情報等データベースと商品情報データベースを構築しても良い。
さらに、このサーバーシステムはインターネットに接続され、買い物客がＲＦ−ＩＤタグ用携帯電話を操作して、表示装置搭載ＲＦ−ＩＤタグより商品情報を入手する際にメーカーのホームページにまで、アクセス可能としても良い。
また、買い物客が商品情報を入手する際にメーカー等のキャンペーン及びマーケッテングツールとするべく、例えば、ＲＦ−ＩＤタグ用リーダーライター搭載携帯電話にアンケート画面を表示し、ＲＦ−ＩＤタグ用リーダーライター搭載携帯電話の操作により、アンケートに答えた買い物客には、表示装置搭載ＲＦ−ＩＤタグを介して、ＲＦ−ＩＤタグ用リーダーライター搭載携帯電話にクーポン情報などの特典付与情報を提供しても良い。
【産業上の利用可能性】
【００３４】
本発明の商品陳列棚システムは、流通分野は無論のこと、物流分野にも有効であり、具体的には製造部品のピッキング等に活用し、ピッキング棚でのヒッキングされる部品の在庫管理に活用可能であるため、広範囲な分野での様々な用途にも適用できるものである。
【図面の簡単な説明】
【００３５】
【図１】本発明の照度センサー搭載ＲＦ−ＩＤタグの基本構成図
【図２】本発明の表示装置搭載ＲＦ−ＩＤタグの基本構成図
【図３】本発明の商品陳列棚システムの基本構成説明図
【符号の説明】
【００３６】
１      照度センサー搭載ＲＦ−ＩＤタグ
２      アンテナ部
３      ＲＦインターフェース部
４      ＲＦ部
５      照度センサー部
６      照度センサー感度調節部
７      不揮発メモリー部
８      電池部
９      タグ制御部
１０      商品陳列棚
１１      ラック部
１２      ＲＦ−ＩＤタグ用リーダーライター
１３      通信回線
１４      商品在庫管理装置
１４ａ    商品陳列位置情報等データベース
１４ｂ    商品情報データベース
１５      商品
１６      表示装置搭載ＲＦ−ＩＤタグ
１７      表示装置搭載ＲＦ−ＩＤタグのアンテナ部
１８      表示装置搭載ＲＦ−ＩＤタグのＲＦインターフェース部
１９      表示装置搭載ＲＦ−ＩＤタグのＲＦ部
２０      表示装置搭載ＲＦ−ＩＤタグの表示装置ドライバー回路
２１      表示装置搭載ＲＦ−ＩＤタグの表示装置
２２      表示装置搭載ＲＦ−ＩＤタグの不揮発メモリー部
２３      表示装置搭載ＲＦ−ＩＤタグの電池部
２４      表示装置搭載ＲＦ−ＩＤタグのタグ制御部
２５      ＲＦ−ＩＤタグ用リーダーライター搭載携帯電話
【図１】
2006350893.tif 000003
【図２】
2006350893.tif 000004
【図３】
2006350893.tif 000005